(57)【要約】【課題】  商品販売処理装置に設けられた吟味台の利用価値を高めること。【解決手段】  一実施形態における商品販売処理装置は、上面に物品の載置面が形成された吟味台ユニットと、上記載置面が露出した状態で上記吟味台ユニットを収容する収容部が設けられた筐体と、上記収容部に収容された上記吟味台ユニットを上記筐体の正面から見た手前側に向けて引き出し自在に保持する保持機構と、を備えている。【選択図】    図６
2012185676.tif 000002
【特許請求の範囲】
【請求項１】
上面に物品の載置面が形成された吟味台ユニットと、
前記載置面が露出した状態で前記吟味台ユニットを収容する収容部が設けられた筐体と、
前記収容部に収容された前記吟味台ユニットを前記筐体の正面から見た手前側に向けて引き出し自在に保持する保持機構と、
を備えていることを特徴とする商品販売処理装置。
【請求項２】
前記収容部の下方には、物品を収納可能なトレイ部が設けられ、
前記吟味台ユニットを前記収容部に収容したときに前記トレイ部の上方が前記吟味台ユニットによって覆われ、前記吟味台ユニットを前記手前側に向けて引き出したときに前記トレイ部の上方が開放されることを特徴とする請求項１に記載の商品販売処理装置。
【請求項３】
前記吟味台ユニットの載置面には、金銭を収納するドロワの内部に並設された複数の硬貨トレイの各境界に対応する間隔でリブが設けられていることを特徴とする請求項１又は２に記載の商品販売処理装置。
【請求項４】
前記保持機構は、前記吟味台ユニットが前記収容部に収容されているときに前記載置面を水平にして前記吟味台ユニットを保持し、前記吟味台ユニットが前記収容部から引き出されたときに前記載置面を傾かせて前記吟味台ユニットを保持することを特徴とする請求項１乃至３のうちいずれか１に記載の商品販売処理装置。
【請求項５】
前記保持機構は、前記吟味台ユニットが前記収容部に収容されているときに前記載置面を水平にして前記吟味台ユニットを保持し、前記吟味台ユニットが前記収容部から引き出されたときに前記吟味台ユニットを回動自在に軸支することを特徴とする請求項１乃至３のうちいずれか１に記載の商品販売処理装置。
【請求項６】
前記保持機構は、
前記収容部の対向する内壁に設けられた一対のスライド溝と、
前記吟味台ユニットに設けられ、前記各スライド溝に対して摺動可能に嵌め合う一対の突起部と、
前記吟味台ユニットに設けられ、前記吟味台ユニットが前記収容部に収容された状態において前記各突起部とともに前記各スライド溝に嵌り、前記吟味台ユニットが前記収容部から引き出された状態において前記各スライド溝から外れる一対の嵌脱部と、
を有し、
前記各嵌脱部が前記各スライド溝から外れたときに前記吟味台ユニットが前記スライド溝に嵌った前記各突起部によって回動自在に軸支されることを特徴とする請求項５に記載の商品販売処理装置。
【発明の詳細な説明】
【技術分野】
【０００１】
本発明の実施形態は、ＰＯＳ（Point Of Sales）端末やＥＣＲ（Electric Cash Register）等の商品販売処理装置に関する。
【背景技術】
【０００２】
従来、各種店舗において販売される商品の代金の精算にＰＯＳ端末やＥＣＲ等の商品販売処理装置が使用されている。
【０００３】
この種の装置を用いたチェックアウト業務において、先ず店員は、客が購入しようとする商品に付されたバーコードをスキャナでスキャニングするなどして当該商品を商品販売処理装置に登録し、登録された各商品の価格の合計金額を算出させ、客から金銭を受領する。このとき店員は、客殻の受領金をドロワ内に直ぐにはしまわず所定場所に一時的に置いて金額を確認した後、その金額を商品販売処理装置に入力する。
【０００４】
受領金の金額が入力されると、商品販売処理装置が釣銭額を算出してその額をディスプレイに表示するとともに取引の明細が印刷されたレシートを発行し、店員がドロワから釣銭を取り出してレシートとともに客に手渡す。このようなチェックアウト業務の終了後、店員は、上記所定場所に置いた受領金をドロワ内に収納する。
【０００５】
客からの受領金を置く上記所定場所としては、例えばチェックアウトカウンタに置かれた皿上のコイントレイが用いられる。また、一部の商品販売処理装置においては、客からの受領金を一時的に置いてその額等を確認するための吟味台を備えたものも存在する。
【先行技術文献】
【特許文献】
【０００６】
【特許文献１】特開２０００−１１３３１９号公報
【特許文献２】特開２００８−６５５２０号公報
【特許文献３】実開平３−１１６４８０号公報
【発明の概要】
【発明が解決しようとする課題】
【０００７】
通常、上記のような商品販売処理装置が備える吟味台に置かれた金銭は、店員が一度手で回収した後、ドロワ内に設けられた金種別の収納部に収納される。このように吟味台に置かれた金銭を手で回収していると、その金銭をドロワの硬貨収納部に収納し終えるまでに時間が掛かってしまうし、回収の途中で硬貨を落としてしまうこともあり、商品の販売処理が遅延しかねない。
【０００８】
また、吟味台を商品販売処理装置に設けるとその分筐体が大型化するとの問題もある。さらに、上記コイントレイを利用している店舗等においては、商品販売処理装置に設けられた吟味台が不要なものになってしまう。
【０００９】
このように、現状の商品販売処理装置に設けられた吟味台については、種々の問題が生じている。そこで、商品販売処理装置に設けられた吟味台の利用価値が高まるように、何らかの手段を講じる必要があった。
【課題を解決するための手段】
【００１０】
上記のような課題を解決すべく、一実施形態における商品販売処理装置は、上面に物品の載置面が形成された吟味台ユニットと、上記載置面が露出した状態で上記吟味台ユニットを収容する収容部が設けられた筐体と、上記収容部に収容された上記吟味台ユニットを上記筐体の正面から見た手前側に向けて引き出し自在に保持する保持機構と、を備えている。
【図面の簡単な説明】
【００１１】
【図１】第１の実施形態におけるキャッシュレジスタおよびドロワを示す斜視図。
【図２】同実施形態における吟味台ユニットを筐体から取り外した状態の斜視図。
【図３】同実施形態における収容部の左内壁近傍の拡大図。
【図４】同実施形態における吟味台ユニットの右側面近傍の拡大図。
【図５】同実施形態における突起部とスライド溝の関係を示す模式図。
【図６】同実施形態における作用を説明するための図。
【図７】第２の実施形態における収容部の左内壁近傍の拡大図。
【図８】同実施形態における突起部とスライド溝の関係を示す模式図。
【図９】第３の実施形態における吟味台ユニットの右側面近傍の拡大図。
【図１０】同実施形態における突起部，嵌脱部とスライド溝の関係を示す模式図。
【図１１】変形例における突起部とスライド溝の関係を示す模式図。
【発明を実施するための形態】
【００１２】
以下、いくつかの実施形態について図面を参照しながら説明する。  
なお、以下に説明する実施形態においては、各種店舗において金銭収納用のドロワと共に使用される電子式のキャッシュレジスタ（ＥＣＲ）を例示する。
【００１３】
（第１の実施形態）
図１は、第１の実施形態におけるキャッシュレジスタ１およびドロワ２を示す斜視図である。  
キャッシュレジスタ１は、ドロワ２の上面に載置されている。キャッシュレジスタ１およびドロワ２は、図示せぬ通信ケーブルを介して相互通信可能に接続されている。
【００１４】
キャッシュレジスタ１の筐体１０は、その正面側に向けて下方に傾斜しており、その傾斜面に店員側ディスプレイ１１、キーボード１２、レシート発行口１３、ジャーナル確認窓１４、小物入れ１５、および吟味台ユニット１６等が設けられている。また、筐体１０の背面側には、客側ディスプレイ１７が設けられている。
【００１５】
店員側ディスプレイ１１は、例えばその表示面が正面側、すなわち当該キャッシュレジスタ１を操作する店員の立ち位置側に向けられたＬＥＤディスプレイであり、客側ディスプレイ１７は、例えばその表示面が背面側、すなわち当該キャッシュレジスタ１により会計を受ける客の立ち位置側に向けられたＬＥＤディスプレイである。これら店員側ディスプレイ１１および客側ディスプレイ１７は、キーボード１２の操作により入力された商品の価格等を表示する。
【００１６】
キーボード１２は、キャッシュレジスタ１の正面から見て店員側ディスプレイ１１の手前に設けられ、小計金額の算出を指示するための小計キー、現金での決済を宣言するための現計キー、数値入力用のテンキー等の各種操作キーにて構成されている。
【００１７】
レシート発行口１３およびジャーナル確認窓１４は、キャッシュレジスタ１の正面から見て店員側ディスプレイ１１の左側に設けられている。キャッシュレジスタ１の内部にはレシートを印刷するレシートプリンタ、および、ジャーナルを印刷するジャーナルプリンタが内蔵されている。上記レシートプリンタによって印刷されたレシートは、レシート発行口１３から発行される。また、上記ジャーナルプリンタによって印刷されるジャーナルは、印刷面を筐体１０の外側に向けてジャーナル確認窓１４の直下を通過し、筐体１０の内部に設けられた軸心に巻き取られる。
【００１８】
小物入れ１５は、筐体１０を所定形状に窪ませて形成されたものであり、印鑑等の小物を置くために使用される。
【００１９】
吟味台ユニット１６は、キャッシュレジスタ１を正面から見た筐体１０の手前側端部に設けられている。吟味台ユニット１６の上面には例えばステンレス剛板を貼着して形成した載置面１００と、複数のリブ１０１が設けられている。各リブ１０１は、ドロワ２内に設けられた５つの硬貨トレイ２１０，２１１，２１２，２１３，２１４（図６参照）の各境界に対応する間隔で設けられている。各リブ１０１の作用については後述する。
【００２０】
ドロワ２は、正面側が開口されたケース状のドロワ筐体２０と、このドロワ筐体２０に収納された引出ユニット２１とを備えている。引出ユニット２１は、スライドレールを介してスライド自在にドロワ筐体２０に取り付けられている。ドロワ２の内部には、引出ユニット２１を手前方向に付勢する弾性部材と、引出ユニット２１がドロワ筐体２０に完全に収納された状態で引出ユニット２１の移動を規制する電子式ロックが設けられている。この電子式ロックは、キャッシュレジスタ１からの指令に応じて開錠され、ドロワ筐体２０から引き出された状態の引出ユニット２１がドロワ筐体２０に完全に押し込まれたときに施錠される。
【００２１】
吟味台ユニット１６は、筐体１０と別体形成されており、キャッシュレジスタ１の正面から見た手前側に向けて引き出し自在となるように、所定の保持機構を介して筐体１０に対し取り付けられている。
【００２２】
吟味台ユニット１６を筐体１０から取り外した状態の斜視図を図２に示している。以下、図中の矢印のようにキャッシュレジスタ１およびドロワ２の正面側を前方と、背面側を後方と適宜称して上記保持機構につき説明する。  
図示したように、筐体１０の前方側端部には、左内壁２００、この左内壁２００に対向する右内壁２０１、奥壁２０２、および下方に設けられたトレイ部２０３で囲われた収容部１８が設けられている。トレイ部２０３は、筐体１０の前方側前端から徐々に深さが増す形状であり、このトレイ部２０３内の空間は、吟味台ユニット１６が収容部１８に収容された状態であっても吟味台ユニット１６の底面等で埋まることなく維持される。
【００２３】
図２に示した収容部１８の左内壁２００近傍の拡大図を図３に示す。左内壁２００には、キャッシュレジスタ１の前後方向に長尺なスライド溝２０４が設けられている。なお、収容部１８の右内壁２０１にも、図３に示したものと同形状のスライド溝２０４が設けられている。
【００２４】
図２に示した吟味台ユニット１６の右側面近傍の拡大図を図４に示す。吟味台ユニット１６の右側面には、載置面１００と平行な方向に長尺でスライド溝２０４に嵌め合う形状の突起部１０２が設けられている。なお、吟味台ユニット１６の形状は左右対称であり、左側面にも図４に示したものと同形状の突起部１０２が設けられている。
【００２５】
また、収容部１８の奥壁２０２には、マグネット２０５が３箇所に取り付けられており、吟味台ユニット１６の側面の各マグネット２０５に対応する位置には、例えばステンレス製のマグネット受部材１０３が取り付けられている。
【００２６】
吟味台ユニット１６は、各突起部１０２を収容部１８の左右内壁２００，２０１に設けられた各スライド溝２０４に挿入することで、筐体１０に対してキャッシュレジスタ１の前後方向にスライド自在に取り付けられる。  
吟味台ユニット１６のスライドについて説明する。図５は、吟味台ユニット１６の突起部１０２と収容部１８のスライド溝２０４の関係を示す模式図である。  
図中の破線は、収容部１８に完全に収容された状態の吟味台ユニット１６および同ユニット１６の突起部１０２を示し、図中の一点鎖線は、収容部１８から最大限引き出された状態の吟味台ユニット１６および同ユニット１６の突起部１０２を示している。
【００２７】
破線で示した吟味台ユニット１６においては、突起部１０２がスライド溝２０４の後方側の端部２０４ａに接触している。このときトレイ部２０３の上面は、筐体１０および吟味台ユニット１６によって覆われる。なお、突起部１０２がスライド溝２０４の後方側の端部２０４ａに接触した状態においては吟味台ユニット１６の各マグネット受部材１０３が奥壁２０２の各マグネット２０５に接触し、各マグネット２０５の磁力により吟味台ユニット１６が筐体１０に対して固定される。
【００２８】
一方、一点鎖線で示した吟味台ユニット１６においては、突起部１０２がスライド溝２０４の前方側の端部２０４ｂに接触している。このときトレイ部２０３の上面の吟味台ユニット１６によって覆われていた部分が開放され、トレイ部２０３が外部に露出する。この状態において、店員は、トレイ部２０３への物の出し入れが可能となる。
【００２９】
このように、吟味台ユニット１６は、各突起部１０２がそれぞれ対応するスライド溝２０４内を移動可能な範囲内でスライドする。また、各突起部１０２は各スライド溝２０４に嵌め合う形状であり、かつ載置面１００と平行な方向に長尺でるため、各突起部１０２が各スライド溝２０４のどの位置に所在する場合であっても吟味台ユニット１６が載置面１００を水平にして左右内壁２００，２０１間に担持される。
【００３０】
次に、キャッシュレジスタ１およびドロワ２を用いた商品販売処理の流れ、および、吟味台ユニット１６の作用につき、図６を用いて説明する。  
商品を販売処理するにあたり、先ず店員は、キーボード１２を操作して客が購入しようとする商品の価格をキャッシュレジスタ１に入力する。キャッシュレジスタ１は、商品の価格が入力される度にそれを店員側ディスプレイ１１および客側ディスプレイ１７に表示する。
【００３１】
やがて客が購入しようとする全ての商品の価格を入力し終えると、店員は、キーボード１２に設けられた小計キーを操作する。このとき、キャッシュレジスタ１は、入力された各商品の価格の合計金額を算出して店員側ディスプレイ１１および客側ディスプレイ１７に表示し、代金の支払いを待つ。
【００３２】
客が硬貨や紙幣にて代金を支払うと、店員は、客から受け取った硬貨や紙幣を吟味して預り金額を算出し、キーボード１２を操作してその金額を入力し、キーボード１２に設けられた現計キーを操作する。このときキャッシュレジスタ１は、入力された預り金額から各商品の価格の合計金額を差し引いて釣銭額を算出し、店員側ディスプレイ１１および客側ディスプレイ１７に表示するとともに、ドロワ２に引出ユニット２１を開放させる。また、キャッシュレジスタ１は、レシートプリンタおよびジャーナルプリンタを駆動して当該取引のレシートおよびジャーナルを印刷させる。印刷されたレシートは、レシート発行口１３から発行される。
【００３３】
店員は、レシート発行口１３から発行されたレシート、および、釣銭額に相当する硬貨や紙幣をドロワ２の引出ユニット２１内から取り出し、レシート発行口１３から発行されたレシートとともに客に手渡す。その後、客から受け取った硬貨や紙幣を引出ユニット２１内に金種別に収納し、引出ユニット２１を閉じて１人の客に対する商品販売処理が完了する。
【００３４】
上記のような流れの商品販売処理において、店員は、客から受け取った硬貨の吟味に吟味台ユニット１６を利用できる。すなわち店員は、客から受け取った硬貨を載置面１００上に置き、使用できない硬貨等が混入していないかを確認して、その額を計数したうえで受け取った金額をキーボード１２の操作により入力する。
【００３５】
その後、現計キーを操作してドロワ２の引出ユニット２１が開放されたならば、図６に示すように吟味台ユニット１６を手前側にスライドさせ、載置面１００上に載置された硬貨を例えば指で滑らせて金種別に各硬貨トレイ２１０〜２１４に落下させる。
【００３６】
このように、載置面１００上に置かれた硬貨は、載置面１００上を滑らせて下方に落下させるだけで各硬貨トレイ２１０〜２１４に収納できる。このような構成であれば、載置面１００上に置かれた硬貨を一枚一枚手に取って各硬貨トレイ２１０〜２１４に収納する必要がなくなるので、各硬貨トレイ２１０〜２１４への硬貨の収納が極めて容易になる。
【００３７】
特に本実施形態においては、吟味台ユニット１６をスライドさせてキャッシュレジスタ１の手前側に引き出すことが可能であるため、ドロワ２の各硬貨トレイ２１０〜２１４と吟味台ユニット１６との位置関係を最適に調整したうえで、載置面１００から硬貨を落下させることができる。したがって、硬貨を各硬貨トレイ２１０〜２１４により収納し易くなる。
【００３８】
また、吟味台ユニット１６の上面に設けられた各リブ１０１を、載置面１００から硬貨を落下させる位置の目安にすることができる。すなわち、各硬貨トレイ２１０〜２１４の境界を各リブ１０１にて把握し、載置面１００に置いた硬貨を各硬貨トレイ２１０〜２１４のうちその硬貨の金種に対応するものの真上に移動させ、そこからその硬貨を指で滑らせて２つのリブ１０１の間から落下させる。このようにすれば、載置面１００から落下させた硬貨が、硬貨トレイ２１０〜２１４のうちその硬貨の金種に対応するものに確実に収納される。
【００３９】
また、吟味台ユニット１６を引き出した際には、収容部１８の下方に設けられたトレイ部２０３が露出し、このトレイ部２０３に対する物品の出し入れが可能となる。すなわち、吟味台ユニット１６は、トレイ部２０３の蓋部としての役割も担っている。さらに、トレイ部２０３を設けたことにより、従来はデッドスペースとなる吟味台ユニット１６の下方の領域が有効に活用される。
【００４０】
（第２の実施形態）
次に、第２の実施形態について説明する。  
本実施形態は、吟味台ユニット１６を筐体１０から引き出したときに、同ユニット１６が手前側を下にして傾斜するよう構成した点で、第１の実施形態と異なる。第１の実施形態と同一の構成要素には同一の符号を付し、重複説明は必要な場合にのみ行う。
【００４１】
図７は、本実施形態における収容部１８の左内壁２００近傍の拡大図である。本実施形態におけるスライド溝２０４は、前方側の端部２０４ｂ近傍に溝幅が拡大された拡大部２０４ｃが設けられている。具体的には、スライド溝２０４の下縁を下方に窪ませることで拡大部２０４ｃが形成されている。なお、収容部１８の右内壁２０１にも、図７に示したものと同形状のスライド溝２０４が設けられている。
【００４２】
本実施形態における吟味台ユニット１６のスライドについて説明する。図８は、収容部１８に収容された吟味台ユニット１６の突起部１０２とスライド溝２０４の関係を示す模式図である。  
図中の破線は、収容部１８に完全に収容された状態の吟味台ユニット１６および同ユニット１６の突起部１０２を示し、図中の一点鎖線は、収容部１８から最大限引き出された状態の吟味台ユニット１６および同ユニット１６の突起部１０２を示している。
【００４３】
破線で示した吟味台ユニット１６においては、突起部１０２がスライド溝２０４の後方側の端部２０４ａに接触している。このとき、第１の実施形態にて説明した通り、吟味台ユニット１６の載置面１００が水平に保たれるとともに、トレイ部２０３の上面が筐体１０および吟味台ユニット１６によって覆われる。
【００４４】
この状態から吟味台ユニット１６を手前側にスライドさせて引き出すと、やがて突起部１０２が拡大部２０４ｃに到達する。このとき、一点鎖線で示したように突起部１０２の先端が拡大部２０４ｃの形状に合せて下方に下がり、やがて拡大部２０４ｃの下端に接して静止する。このとき吟味台ユニット１６は、一点鎖線で示したように、載置面１００の前端部を下にして傾斜した状態で静止する。
【００４５】
このように、本実施形態においては吟味台ユニット１６を収容部１８から引き出した際に同ユニット１６がキャッシュレジスタ１の正面から見た手前側を下方にして傾くよう構成した。このような構成であれば、吟味台ユニット１６を引き出して傾けることで載置面１００に置かれた硬貨を滑落させ、手を使わずにドロワ２の各硬貨トレイ２１０〜２１４に収納することができる。
【００４６】
この場合であっても、例えば吟味台ユニット１６を引き出す前に載置面１００に置かれた硬貨を各リブ１０１を目安にして金種別に振り分けておき、その後に同ユニット１６を引き出して傾斜させれば、各硬貨を硬貨トレイ２１０〜２１４のうちその硬貨の金種に応じたものに落下させることができる。
【００４７】
なお、第１の実施形態と同様の効果を奏することはいうまでもない。
【００４８】
（第３の実施形態）
次に、第３の実施形態について説明する。  
本実施形態は、吟味台ユニット１６を筐体１０から引き出したときに、同ユニット１６を回動可能とした点で、第１，第２の実施形態と異なる。第１，第２の実施形態と同一の構成要素には同一の符号を付し、重複説明は必要な場合にのみ行う。
【００４９】
本実施形態における収容部１８の左右内壁２００，２０１に設けられた各スライド溝２０４の形状は、第１の実施形態にて説明したものと同一である。
【００５０】
図９は、本実施形態における吟味台ユニット１６の右側面近傍の拡大図である。本実施形態における吟味台ユニット１６の右側面には、突起部１０４および嵌脱部１０５が設けられている。なお、吟味台ユニット１６の形状は左右対称であり、左側面にも図９に示したものと同形状の突起部１０４および嵌脱部１０５が設けられている。  
各突起部１０４はそれらを結ぶ直線に垂直な断面が略円形であり、この直線が吟味台ユニット１６の回転軸になる。嵌脱部１０５は、吟味台ユニット１６筐体に切り込みを入れて形成した板バネ１０５ａと、この板バネの先端に設けた半球１０５ｂとで構成されている。
【００５１】
本実施形態における吟味台ユニット１６のスライドについて説明する。図１０は、収容部１８に収容された吟味台ユニット１６の突起部１０４および嵌脱部１０５とスライド溝２０４の関係を示す模式図である。  
図中の破線は、収容部１８に完全に収容された状態の吟味台ユニット１６と同ユニット１６の突起部１０４および嵌脱部１０５を示し、図中の一点鎖線は、収容部１８から所定量引き出された状態の吟味台ユニット１６と同ユニット１６の突起部１０４および嵌脱部１０５を示している。
【００５２】
破線で示した吟味台ユニット１６においては、突起部１０４がスライド溝２０４の後方側の端部２０４ａに接触し、嵌脱部１０５が前方側の端部２０４ｂに接触している。このとき、吟味台ユニット１６が左右それぞれ２点で支えられて安定し、載置面１００が水平に保たれるとともに、トレイ部２０３の上面が筐体１０および吟味台ユニット１６によって覆われる。
【００５３】
この状態から吟味台ユニット１６を手前側に引っ張ると、各嵌脱部１０５の半球１０５ｂがスライド溝２０４の端部２０４ｂに接触して各板バネ１０５ａが各半球１０５ｂを吟味台ユニット１６の内部に陥没させるように撓み、一点鎖線で示したように各嵌脱部１０５が各スライド溝２０４から外れ、吟味台ユニット１６が各突起部１０４にて回動可能に軸支される。
【００５４】
このように、本実施形態においては吟味台ユニット１６を収容部１８から引き出した際に同ユニット１６が各突起部１０４にて軸支されるよう構成した。このような構成であれば、収容部１８から引き出された吟味台ユニット１６を第２の実施形態のように手前側を下方にして傾けることが可能となるし、その逆方向に傾けることも可能となる。逆方向に傾けた際には、例えば載置面１００に置かれた硬貨やその他の物品をキャッシュレジスタ１の奥側に向けて滑落させ、手を使わずにトレイ部２０３に収納することができる。
【００５５】
その他、第１，第２の実施形態と同様の効果を奏することはいうまでもない。
【００５６】
（変形例）
なお、第１〜第３の実施形態にて開示した構成は、種々の態様にて変形実施可能である。具体的な変形例としては、例えば次のようなものがある。
【００５７】
（１）上記各実施形態ではキャッシュレジスタ１を例示したが、このキャッシュレジスタ１が備えるとした吟味台ユニット１６および収容部１８等の構成を、ＰＯＳ端末等の他の機器に適用してもよい。
【００５８】
（２）吟味台ユニット１６をスライドさせるための機構は、上記各実施形態にて開示したもの以外の機構であってもよい。  
例えば、収容部１８の左右内壁２００，２０１に設けられるとしたスライド溝２０４を吟味台ユニット１６に設け、吟味台ユニット１６の左右側面に設けられるとした突起部１０２，１０４，嵌脱部１０５を収容部１８に設けてもよい。  
また、突起部１０２，１０４，嵌脱部１０５やスライド溝２０４を用いた機構に代えて他の機構、例えばスライドレールを用いた機構にて吟味台ユニット１６をスライドさせてもよい。
【００５９】
（３）収容部１８に収容された吟味台ユニット１６を筐体１０に対して固定する機構は、マグネット２０５およびマグネット受部材１０３を用いたものに限られず、他の機構を採用してもよい。  
例えばマグネット２０５およびマグネット受部材１０３に代えて、吟味台ユニット１６および筐体１０のいずれか一方にフックを設け、当該他方に吟味台ユニット１６が収容部１８に完全に収容されたときに上記フックに係合するラッチを設け、これらフックおよびラッチにより吟味台ユニット１６が筐体１０に対し固定されるようにしてもよい。
【００６０】
（４）第２の実施形態においてはスライド溝２０４に拡大部２０４ｃを設け、この拡大部２０４ｃにより突起部１０２の先端を下方に下げ、吟味台ユニット１６を傾ける構成を例示した。しかしながら、吟味台ユニット１６を傾ける機構はこれに限定されず、他の機構を採用してもよい。  
他の機構としては、例えば図１１に示すものを採用し得る。この例では、突起部１０２に代えて図１０を用いて説明した突起部１０４のように断面が円形の突起部１０６，１０７を吟味台ユニット１６の左右側面に設けており、図中の破線は収容部１８に完全に収容された状態の吟味台ユニット１６および同ユニット１６の突起部１０６，１０７を示し、図中の一点鎖線は、収容部１８から最大限引き出された状態の吟味台ユニット１６および同ユニット１６の突起部１０６，１０７を示している。このような構成においては、吟味台ユニット１６が収容部１８に収容されているときには破線で示すように吟味台ユニット１６が左右それぞれの側面に設けられた突起部１０６，１０７によって支えられて安定し、載置面１００が水平に保たれる。一方、吟味台ユニット１６が収容部１８から引き出されると、各突起部１０７が各スライド溝２０４の拡大部２０４ｃの下縁に沿って下がり、結果として吟味台ユニット１６が前端部を下にして傾斜する。
【００６１】
（５）第３の実施形態に示した構成において、各突起部１０４を軸にして吟味台ユニット１６を１８０度回転させ、同ユニット１６の裏面を特定の用途で利用可能な構成としてもよい。このように構成する場合、吟味台ユニット１６を１８０度回転させる際に同ユニット１６が収容部１８の奥壁２０２やトレイ部２０３等に接触しないように、突起部１０４および嵌脱部１０５を設ける位置や、吟味台ユニット１６、奥壁２０２、およびトレイ部２０３等の形状を適宜変更すればよい。  
なお、吟味台ユニット１６の裏面は、例えばコインカウンタとして利用できる。すなわち、複数枚の硬貨を主面同士が合わさった状態で収納する金種毎の収納溝を吟味台ユニット１６の裏面に設け、これら各収納溝に硬貨枚数を示す目盛りを付すなどして一目で多数の硬貨の枚数を把握できるような手段を講じておく。このようにしておけば、ドロワ２に収納された硬貨を計数する必要が生じた際等に、吟味台ユニット１６の裏面を利用して迅速に計数作業を行うことができる。
【００６２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６３】
１…キャッシュレジスタ、２…ドロワ、１０…筐体、１６…吟味台ユニット、１８…収納部、２０…ドロワ筐体、２１…引出ユニット、１００…載置面、１０１…リブ、１０２…突起部、１０３…マグネット受部材、２０３…トレイ部、２０４…スライド溝、２０５…マグネット
【図１】
2012185676.tif 000003
【図２】
2012185676.tif 000004
【図３】
2012185676.tif 000005
【図４】
2012185676.tif 000006
【図５】
2012185676.tif 000007
【図６】
2012185676.tif 000008
【図７】
2012185676.tif 000009
【図８】
2012185676.tif 000010
【図９】
2012185676.tif 000011
【図１０】
2012185676.tif 000012
【図１１】
2012185676.tif 000013